(57)【要約】【課題】複数記憶されているコンテンツファイルの分類情報の傾向を提示する。【解決手段】大容量メモリ１２に記憶されている複数の音楽ファイルのジャンル毎のファイル数の全ファイル数に対する割合に応じて、ジャンル名−色変換テーブル１３１に記憶されている各ジャンルと対応付けられているジャンル色が示す色を混合し、当該混合された色を表示デバイス１８の表示画面上に表示させる。また、表示デバイス１８の表示画面上に、ジャンル毎のファイル数が多い順に指定された数分、各ジャンルと対応付けられているジャンル色が示す色を並べて表示させたり、ジャンルの種類数に応じて表示デバイス１８の表示画面を分割し、当該分割された各領域に各ジャンルと対応付けられているジャンル色が示す色を表示させたりする方法でジャンルの傾向を提示してもよい。【選択図】図１
2008158734.tif 000002
【特許請求の範囲】
【請求項１】
複数のコンテンツファイルが当該コンテンツファイルの分類を示す分類情報とともに記憶されているコンテンツ記憶手段と、
前記コンテンツファイルの分類情報と色情報とが対応付けられて記憶されている色対応記憶手段と、
前記コンテンツ記憶手段に記憶されている複数のコンテンツファイルの分類情報毎のファイル数に応じて、前記色対応記憶手段に記憶されている各分類情報と対応付けられている色情報を用いて表示データを生成し、表示手段に表示させる表示制御手段と、
を備えたことを特徴とするコンテンツ表示装置。
【請求項２】
前記表示制御手段は、前記分類情報毎のファイル数の全ファイル数に対する割合に応じて、各分類情報と対応付けられている色情報が示す色を混合し、当該混合された色を前記表示手段の表示画面上に表示させることを特徴とする請求項１に記載のコンテンツ表示装置。
【請求項３】
前記表示制御手段は、前記表示手段の表示画面上に、前記分類情報毎のファイル数が多い順に指定された数分、各分類情報と対応付けられている色情報が示す色を並べて表示させることを特徴とする請求項１に記載のコンテンツ表示装置。
【請求項４】
前記表示制御手段は、前記分類情報の種類数に応じて前記表示手段の表示画面を分割し、当該分割された各領域に各分類情報と対応付けられている色情報が示す色を表示させることを特徴とする請求項１に記載のコンテンツ表示装置。
【請求項５】
複数のコンテンツファイルを当該コンテンツファイルの分類を示す分類情報とともにコンテンツ記憶手段に記憶させるコンテンツ記憶工程と、
前記コンテンツファイルの分類情報と色情報とを対応付けて色対応記憶手段に記憶させる色対応記憶工程と、
前記コンテンツ記憶手段に記憶されている複数のコンテンツファイルの分類情報毎のファイル数に応じて、前記色対応記憶手段に記憶されている各分類情報と対応付けられている色情報を用いて表示データを生成し、表示手段に表示させる表示制御工程と、
を含むことを特徴とするコンテンツ表示方法。
【請求項６】
前記表示制御工程では、前記分類情報毎のファイル数の全ファイル数に対する割合に応じて、各分類情報と対応付けられている色情報が示す色を混合し、当該混合された色を前記表示手段の表示画面上に表示させることを特徴とする請求項５に記載のコンテンツ表示方法。
【請求項７】
前記表示制御工程では、前記表示手段の表示画面上に、前記分類情報毎のファイル数が多い順に指定された数分、各分類情報と対応付けられている色情報が示す色を並べて表示させることを特徴とする請求項５に記載のコンテンツ表示方法。
【請求項８】
前記表示制御工程では、前記分類情報の種類数に応じて前記表示手段の表示画面を分割し、当該分割された各領域に各分類情報と対応付けられている色情報が示す色を表示させることを特徴とする請求項５に記載のコンテンツ表示方法。
【発明の詳細な説明】
【技術分野】
【０００１】
本発明は、コンテンツファイルに関する情報を表示するコンテンツ表示装置及びコンテンツ表示方法に関する。
【背景技術】
【０００２】
近年、音楽や動画等のデジタルコンテンツが広く利用されるようになり、ＰＣ（Personal Computer）やデジタルコンテンツの再生装置は、ＨＤＤ（Hard Disk Drive）やメモリ容量の増加に伴い、膨大な量のデータを格納可能となっている。
【０００３】
利用可能なファイルやデータの量が増えるに従い、大量の情報の中からユーザが求める情報を短時間で抽出することは困難となるため、各ファイルをそれぞれ星のようなシンボルで表すとともに、各ファイルの属性に基づいてクラスタリングして情報空間内に配置する情報提示方法が提案されている（例えば、特許文献１参照）。
【０００４】
また、例えば、大容量メモリ（ＨＤＤ）を有するデジタルオーディオプレーヤーでは、音楽ファイルにタグ情報として付加されているジャンル名、アーティスト名、アルバム名等の分類情報に基づいて、ＨＤＤ内に記憶された曲の中からユーザが所望する曲を検索することができる。検索の際には、主に文字又はキャラクター（マーク）で分類情報が画面に表示される。
【０００５】
ジャンル名は、大容量メモリ内に記憶されているコンテンツファイルを、ある共通の情報で分類するものであり、音楽ファイルでは、代表的なものとして、Rock、Pops、Classic、R&B等が挙げられる。ジャンルからユーザが所望するコンテンツファイルを検索したり、同一のジャンルに含まれるコンテンツファイルのみを再生したりすることができる。また、どのようなジャンルのコンテンツファイルが多いかにより、所有ユーザの好みを知ることができる。
【特許文献１】特開２００５−１０８５４号公報
【発明の開示】
【発明が解決しようとする課題】
【０００６】
しかし、大容量メモリ内に記憶されている膨大な量のコンテンツファイルの分類情報を文字情報で表示する場合、画面を数ページに分けるか、スクロール等で表示領域を変更する必要があるため、大容量メモリ内に記憶されているコンテンツファイルの傾向を瞬時に把握することは困難であった。
【０００７】
本発明は、複数記憶されているコンテンツファイルの分類情報の傾向を提示することを課題とする。
【課題を解決するための手段】
【０００８】
上記課題を解決するために、請求項１に記載の発明は、コンテンツ表示装置において、複数のコンテンツファイルが当該コンテンツファイルの分類を示す分類情報とともに記憶されているコンテンツ記憶手段と、前記コンテンツファイルの分類情報と色情報とが対応付けられて記憶されている色対応記憶手段と、前記コンテンツ記憶手段に記憶されている複数のコンテンツファイルの分類情報毎のファイル数に応じて、前記色対応記憶手段に記憶されている各分類情報と対応付けられている色情報を用いて表示データを生成し、表示手段に表示させる表示制御手段と、を備えたことを特徴とする。
【０００９】
請求項２に記載の発明は、請求項１に記載のコンテンツ表示装置において、前記表示制御手段は、前記分類情報毎のファイル数の全ファイル数に対する割合に応じて、各分類情報と対応付けられている色情報が示す色を混合し、当該混合された色を前記表示手段の表示画面上に表示させることを特徴とする。
【００１０】
請求項３に記載の発明は、請求項１に記載のコンテンツ表示装置において、前記表示制御手段は、前記表示手段の表示画面上に、前記分類情報毎のファイル数が多い順に指定された数分、各分類情報と対応付けられている色情報が示す色を並べて表示させることを特徴とする。
【００１１】
請求項４に記載の発明は、請求項１に記載のコンテンツ表示装置において、前記表示制御手段は、前記分類情報の種類数に応じて前記表示手段の表示画面を分割し、当該分割された各領域に各分類情報と対応付けられている色情報が示す色を表示させることを特徴とする。
【００１２】
請求項５に記載の発明は、コンテンツ表示方法において、複数のコンテンツファイルを当該コンテンツファイルの分類を示す分類情報とともにコンテンツ記憶手段に記憶させるコンテンツ記憶工程と、前記コンテンツファイルの分類情報と色情報とを対応付けて色対応記憶手段に記憶させる色対応記憶工程と、前記コンテンツ記憶手段に記憶されている複数のコンテンツファイルの分類情報毎のファイル数に応じて、前記色対応記憶手段に記憶されている各分類情報と対応付けられている色情報を用いて表示データを生成し、表示手段に表示させる表示制御工程と、を含むことを特徴とする。
【００１３】
請求項６に記載の発明は、請求項５に記載のコンテンツ表示方法において、前記表示制御工程では、前記分類情報毎のファイル数の全ファイル数に対する割合に応じて、各分類情報と対応付けられている色情報が示す色を混合し、当該混合された色を前記表示手段の表示画面上に表示させることを特徴とする。
【００１４】
請求項７に記載の発明は、請求項５に記載のコンテンツ表示方法において、前記表示制御工程では、前記表示手段の表示画面上に、前記分類情報毎のファイル数が多い順に指定された数分、各分類情報と対応付けられている色情報が示す色を並べて表示させることを特徴とする。
【００１５】
請求項８に記載の発明は、請求項５に記載のコンテンツ表示方法において、前記表示制御工程では、前記分類情報の種類数に応じて前記表示手段の表示画面を分割し、当該分割された各領域に各分類情報と対応付けられている色情報が示す色を表示させることを特徴とする。
【発明の効果】
【００１６】
請求項１、５に記載の発明によれば、コンテンツ記憶手段に記憶されている複数のコンテンツファイルの分類情報毎のファイル数に応じて、色対応記憶手段に記憶されている各分類情報と対応付けられている色情報を用いて表示データを生成するので、複数記憶されているコンテンツファイルの分類情報の傾向を提示することができる。
【００１７】
請求項２、６に記載の発明によれば、分類情報毎のファイル数の全ファイル数に対する割合に応じて、各分類情報と対応付けられている色情報が示す色を混合し、当該混合された色を表示手段の表示画面上に表示させるので、複数記憶されているコンテンツファイルの分類情報の傾向を提示することができる。
【００１８】
請求項３、７に記載の発明によれば、表示手段の表示画面上に、分類情報毎のファイル数が多い順に指定された数分、各分類情報と対応付けられている色情報が示す色を並べて表示させるので、ファイル数が多い分類情報及びその順序を色で提示することができる。
【００１９】
請求項４、８に記載の発明によれば、分類情報の種類数に応じて表示手段の表示画面を分割し、当該分割された各領域に各分類情報と対応付けられている色情報が示す色を表示させるので、コンテンツ記憶手段に記憶されているコンテンツファイルの分類情報及び分類情報の種類数を提示することができる。
【発明を実施するための最良の形態】
【００２０】
［第１の実施の形態］
まず、本発明の第１の実施の形態におけるコンテンツ表示装置としての携帯型デジタルオーディオプレーヤー１０（以下、オーディオプレーヤー１０という。）について説明する。
図１に、オーディオプレーヤー１０の機能的構成を示す。
図１に示すように、オーディオプレーヤー１０は、ＣＰＵ１１、大容量メモリ１２、記憶部１３、一時メモリ１４、画像メモリ１５、通信部１６、操作部１７、表示デバイス１８、再生部１９等を備えて構成され、各部はバス２０により接続されている。
【００２１】
ＣＰＵ１１は、記憶部１３に格納されている各種処理プログラムを読み出して、当該プログラムとの協働により、オーディオプレーヤー１０の各部の処理動作を統括的に制御する。
【００２２】
大容量メモリ１２は、ＨＤＤで構成され、複数のコンテンツファイルとして音楽ファイルを記憶する。音楽ファイルのタグ情報にはジャンル名、アーティスト名、アルバム名等が含まれている。ジャンル名は音楽ファイルのジャンルを示すものであり、ジャンル名としては、Rock、Pops、Classic等が挙げられる。ＣＰＵ１１は、大容量メモリ１２において音楽ファイルが追加・削除された場合には、大容量メモリ１２のデータ更新があったことを示す更新フラグを立てる。
【００２３】
記憶部１３は、各種データを記憶するための記憶装置である。記憶部１３には、ＣＰＵ１１により実行される各種処理プログラム、ジャンル名−色変換テーブル１３１、ジャンル色データベース１３２、デザインデータ１３３等が記憶される。
【００２４】
図２に、ジャンル名−色変換テーブル１３１を示す。ジャンル名−色変換テーブル１３１には、音楽ファイルのジャンル名とジャンル色（ＲＧＢ配色データ）とが対応付けられて記憶されており、ジャンル名及びジャンル色はユーザが任意に設定可能となっている。また、各ジャンル色のＲＧＢ配色データについても、ユーザが変更可能としてもよい。図２に示す例では、ジャンル名Rockに対してジャンル色Redが対応付けられており、ＲＧＢ配色データは［Ｒ：Ｇ：Ｂ］＝［６４：０：０］である。また、ジャンル名Popsに対してジャンル色Blueが対応付けられており、ＲＧＢ配色データは［Ｒ：Ｇ：Ｂ］＝［０：０：６４］である。また、ジャンル名Classicに対してジャンル色Greenが対応付けられており、ＲＧＢ配色データは［Ｒ：Ｇ：Ｂ］＝［０：６４：０］である。なお、ジャンル名−色変換テーブル１３１のジャンル名とジャンル色は、ユーザによって設定されるのではなく、予め設定されていることとしてもよい。
【００２５】
図３に、ジャンル色データベース１３２を示す。ジャンル色データベース１３２は、ジャンル名、ジャンル色（ＲＧＢ配色データ）、同一ジャンルのファイル数で構成されており、大容量メモリ１２に記憶されている音楽ファイルのジャンル毎のジャンル色とファイル数を示すものである。図３に示す例では、大容量メモリ１２には、ジャンル名がRockの音楽ファイル（ジャンル色Redが対応付けられている音楽ファイル）が３個、ジャンル名がPopsの音楽ファイル（ジャンル色Blueが対応付けられている音楽ファイル）が２個、ジャンル名がClassicの音楽ファイル（ジャンル色Greenが対応付けられている音楽ファイル）が１個記憶されている。ジャンル色データベース１３２は、大容量メモリ１２内の音楽ファイルが追加・削除される度に更新される。
【００２６】
なお、図２及び図３は、表示デバイス１８として、ＲＧＢ配色データそれぞれが８ビット制御の２６２Ｋ色の表示が可能なカラーディスプレイを使用した場合の例である。
【００２７】
デザインデータ１３３は、ある任意の画面デザインに基づいた各表示のドット単位の位置データである。第１の実施の形態では、表示画面の背景を一様な色で表示するための背景パターンを用いる。
【００２８】
一時メモリ１４は、ＳＤＲＡＭ（Synchronous Dynamic Random Access Memory）により構成され、データを一時的に記憶するメモリである。
【００２９】
画像メモリ１５は、ＳＤＲＡＭにより構成され、表示デバイス１８に表示するための表示データを一時的に格納し、画面切り替え等のアクセス効率を向上させるための領域である。
【００３０】
通信部１６は、ＰＣと接続するためのＵＳＢ（Universal Serial Bus）インターフェースを備え、ＰＣから転送される音楽ファイルを受信する等、ＰＣとの間で各種データの送受信を行う。
【００３１】
操作部１７は、方向指示キーや決定キー、再生キー等の各種キーを備え、各キーが押下された場合に、押下信号をＣＰＵ１１に出力する。
【００３２】
表示デバイス１８は、ＬＣＤ（Liquid Crystal Display）を備え、ＣＰＵ１１からの指示に従って、ＬＣＤに各種操作画面や各種処理結果を表示する。
【００３３】
再生部１９は、ＣＰＵ１１からの指示に従って、ユーザにより操作部１７から選択された音楽ファイルに基づいて、音声データをアナログ信号に変換し、スピーカやヘッドホンから出力させる。
【００３４】
ＣＰＵ１１は、大容量メモリ１２に記憶されている複数の音楽ファイルのジャンル毎のファイル数に応じて、ジャンル名−色変換テーブル１３１に記憶されている各ジャンル名と対応付けられているジャンル色（ＲＧＢ配色データ）を用いて表示データを生成し、表示デバイス１８に表示させる。具体的には、ＣＰＵ１１は、ジャンル色データベース１３２を読み出して、ジャンル毎のファイル数の全ファイル数に対する割合に応じて、各ジャンル名と対応付けられているジャンル色（ＲＧＢ配色データ）が示す色を混合し、デザインデータ１３３（背景パターン）に基づいて、当該混合された色を表示デバイス１８の表示画面上に表示させる。
【００３５】
次に、動作を説明する。
図４は、データベース更新処理を示すフローチャートである。この処理は、オーディオプレーヤー１０とＰＣとの通信が切断された際に行われる処理である。ここでは、大容量メモリ１２において音楽ファイルの追加があった場合のジャンル色データベース１３２の更新を例にして説明する。なお、通信の切断には、ＵＳＢ接続の切断だけでなく、物理的にＵＳＢコードが接続された状態で通信が切断された場合も含まれる。また、ＵＳＢ接続でなく、ワイヤレス通信の場合には、電波が切断されることも含まれる。
【００３６】
まず、通信部１６においてＰＣとの通信が切断されると（ステップＳ１）、ＣＰＵ１１により、大容量メモリ１２における追加ファイルの更新が確認される（ステップＳ２）。具体的には、ＣＰＵ１１により、更新フラグが立っているか否かが確認される。
【００３７】
追加ファイルの更新がある場合（ステップＳ３；ＹＥＳ）、すなわち、更新フラグが立っている場合には、ＣＰＵ１１により、大容量メモリ１２内の追加された音楽ファイルのタグ情報からジャンル名が読み出される（ステップＳ４）。そして、ＣＰＵ１１により、ジャンル名−色変換テーブル１３１に基づいて、ステップＳ４で読み出されたジャンル名に対応するジャンル色（ＲＧＢ配色データ）が読み出される（ステップＳ５）。なお、ステップＳ４で読み出されたジャンル名がジャンル名−色変換テーブル１３１に存在しない場合には、ユーザが新たにジャンル名と、そのジャンル名に対応するジャンル色を設定可能としてもよい。
【００３８】
ステップＳ５で読み出されたジャンル色に関するデータは、ＣＰＵ１１により、ジャンル色データベース１３２に追加され、ジャンル色データベース１３２が更新される（ステップＳ６）。
【００３９】
ステップＳ３において、追加ファイルの更新がない場合には（ステップＳ３；ＮＯ）、そのまま処理が終了する。
【００４０】
次に、図５を参照して、ジャンル表示処理Ａを説明する。
まず、ＣＰＵ１１により、ジャンル色データベース１３２が読み出され（ステップＳ１１）、ジャンル色の混合処理が行われる（ステップＳ１２）。図３に示すジャンル色データベース１３２の条件で色を混合する場合には、下記式により、ジャンル毎のファイル数の全ファイル数に対する割合に応じて、各ジャンル名と対応付けられているジャンル色（ＲＧＢ配色データ）が示す色が混合され、配色データが算出される。
配色データ＝{(Rockの色データ×Rockのファイル数)＋(Popsの色データ×Popsのファイル数)＋(Classicの色データ×Classicのファイル数)}／全ファイル数
【００４１】
ここに、ＲＧＢ各色についての算出結果を示す。
Ｒ＝{(６４×３)＋(０×２)＋(０×１)}／６＝３２
Ｇ＝{(０×３)＋(０×２)＋(６４×１)}／６＝１０．６≒１０（小数点以下切捨て）
Ｂ＝{(０×３)＋(６４×２)＋(０×１)}／６＝２１．３≒２１（小数点以下切捨て）
したがって、配色データは、［Ｒ：Ｇ：Ｂ］＝［３２：１０：２１］となる。
【００４２】
次に、ＣＰＵ１１により、デザインデータ１３３として、表示画面の背景を一様な色で表示するための背景パターンが読み出され（ステップＳ１３）、ジャンル色の混合処理により算出された配色データとデザインデータ１３３とに基づいて、当該配色データが示す色で表示画面の背景を一様に表示させるための表示データが生成され（ステップＳ１４）、生成された表示データは画像メモリ１５に格納される（ステップＳ１５）。そして、ＣＰＵ１１により、表示データに基づいて、混合された色が背景色として表示デバイス１８に表示される（ステップＳ１６）。
以上でジャンル表示処理Ａが終了する。
【００４３】
以上説明したように、第１の実施の形態によれば、大容量メモリ１２に記憶されている複数の音楽ファイルのジャンル毎のファイル数に応じて、ジャンル名−色変換テーブル１３１に記憶されている各ジャンル名と対応付けられているジャンル色を用いて表示データを生成することができる。より詳しくは、ジャンル毎のファイル数の全ファイル数に対する割合に応じて、各ジャンルと対応付けられているジャンル色が示す色を混合し、当該混合された色を表示デバイス１８の表示画面上に表示させることができる。したがって、大容量メモリ１２に複数記憶されている音楽ファイルのジャンルの傾向を提示することができる。
【００４４】
このように、ジャンル色データベース１３２を用いることにより、大容量メモリ１２内に記憶されている音楽ファイルの各ジャンルの占有状態を、色を用いてグラフィカルに表現することが可能となる。デザインを工夫することにより、従来のように文字でリスト表示する場合と比較して、大容量メモリ１２に記憶されている音楽ファイルの傾向（所有ユーザの好みの傾向）が分かりやすくなる。
【００４５】
また、大容量メモリ１２に音楽ファイルを新たに追加したり、削除したりするとジャンルの占有状態も変化するが、その変化を色で表現することが可能となり、娯楽性が高まる。本実施の形態のように、表示画面の背景色に適用する場合には、音楽ファイルを追加・削除する度に背景色が変化する。
【００４６】
また、大容量メモリ１２内の音楽ファイルのジャンル毎のファイル数の全ファイル数に対する割合に応じて、各ジャンルに対応する色を混合することによって、ユニークでオリジナルな色を表現することができる。
【００４７】
なお、第１の実施の形態では、データベース更新処理（図４）において、更新フラグに基づいて、追加されたファイルに関するデータのみをジャンル色データベース１３２に追加することとしたが、オーディオプレーヤー１０とＰＣとの通信が切断される度に、ジャンル色データベース１３２を再構築するようにしてもよい。
【００４８】
図６に、他のデータベース更新処理を示す。
図６に示すように、通信部１６においてＰＣとの通信が切断されると（ステップＳ２１）、ＣＰＵ１１により、ジャンル色データベース１３２が読み出され、ジャンル色データベース１３２の全データが一括削除される（ステップＳ２２）。
【００４９】
次に、ＣＰＵ１１により、大容量メモリ１２内の全ての音楽ファイルのタグ情報からジャンル名が読み出される（ステップＳ２３）。そして、ＣＰＵ１１により、ジャンル名−色変換テーブル１３１に基づいて、ジャンル名に対応するジャンル色（ＲＧＢ配色データ）が読み出され（ステップＳ２４）、新たなジャンル色データベース１３２が作成される（ステップＳ２５）。
【００５０】
また、ジャンル表示処理Ａ（図５）のジャンル色の混合処理（ステップＳ１２）において算出された配色データを保存するための混合履歴データベースを設けることとしてもよい。図７に、混合履歴データベースの例を示す。図７に示すように、混合履歴データベースには、ｎ回目の更新となる最新の配色データ［Ｒ：Ｇ：Ｂ］＝［Ｘｎ：Ｙｎ：Ｚｎ］、前回の配色データ［Ｒ：Ｇ：Ｂ］＝［Ｘｎ-１：Ｙｎ-１：Ｚｎ-１］、・・・、ｍ回前の配色データ［Ｒ：Ｇ：Ｂ］＝［Ｘｎ-ｍ：Ｙｎ-ｍ：Ｚｎ-ｍ］が記憶されている。ここで、ｍは混合履歴データベースのデータ数を制限する値であって、ユーザが任意に設定可能とする。混合履歴データベースを構築することで、ジャンル色の混合処理の計算において、前回の配色データを利用することができ、処理の円滑化を図ることができる。また、混合履歴データベースに記憶されている配色データに基づいて履歴順に色を表示させることにより、ジャンルの占有状態の変化を色で示すことができる。
【００５１】
また、音楽ファイルのｍｐ３のフォーマットでは、ＩＤ３タグ情報が使用されている。ＩＤ３タグVer1.0では、ジャンル名が番号で管理され、２５５種類のジャンルを番号で選択してタグ付けされているのに対し、ＩＤ３タグVer2.0では、ジャンル名が文字列で管理され、任意のジャンル名を設定可能であるため、ジャンルの種類は無限に存在可能となる。図２に示したジャンル名−色変換テーブル１３１では、ＩＤ３タグVer2.0の無限数のジャンル名には対応できないので、ジャンル名に含まれる文字列（ジャンル名の一部又は全部）と色とを対応付けることによって、類似したジャンルの色をまとめるようにしてもよい。例えば、Popという文字列と青色とを予め対応付けておいた場合には、Jpop、Pops、Kpop等は全て青色に変換される。また、他には、ジャンル名において大文字・小文字の区別はしない等のルール付けをすることとしてもよい。
【００５２】
また、ジャンル色データベース１３２において、同一ジャンルのファイル数の代わりにそのジャンルのファイル数の全ファイル数に対する割合（％）が格納されていてもよい。
【００５３】
［第２の実施の形態］
次に、本発明を適用した第２の実施の形態について説明する。
第２の実施の形態におけるオーディオプレーヤーは、第１の実施の形態に示したオーディオプレーヤー１０と同様の構成によってなるため、同一の構成部分については同一の符号を付し、その構成については図示及び説明を省略する。以下、第２の実施の形態に特徴的な構成及び処理について説明する。
【００５４】
第２の実施の形態では、表示デバイス１８の表示画面を分割し、大容量メモリ１２に記憶されている複数の音楽ファイルについて、ジャンル毎のファイル数が多い順に上位のジャンルを色で表現する。
【００５５】
記憶部１３には、デザインデータ１３３として、タイルパターンが格納されている。タイルパターンとは、画面を複数の領域に分割したもので、タイルを敷き詰めたようなパターンである。タイルパターンのデザインデータ１３３には、分割設定値に応じた画面分割の指示、分割領域に着色する色、階調設定等の画像指示データが含まれる。
【００５６】
ＣＰＵ１１は、大容量メモリ１２に記憶されている複数の音楽ファイルのジャンル毎のファイル数に応じて、ジャンル名−色変換テーブル１３１に記憶されている各ジャンル名と対応付けられているジャンル色（ＲＧＢ配色データ）を用いて表示データを生成し、表示デバイス１８に表示させる。具体的には、ＣＰＵ１１は、表示デバイス１８の表示画面上に、ジャンル毎のファイル数が多い順に指定された数分、各ジャンルと対応付けられているジャンル色が示す色を並べて表示させる。
【００５７】
例えば、図８（ａ）に示すように、ジャンル毎のファイル数におけるベスト２５を表示する場合には、大容量メモリ１２内の音楽ファイルのジャンルのうち、ファイル数の多い順に上位２５位までのジャンル色を、表示デバイス１８の表示画面を２５分割した各領域に並べて表示する。左上の分割領域には１位のジャンル色を表示し、右へ順に２位、３位、４位、５位のジャンル色を並べ、次に２段目の左から６位、７位、・・・と並べて表示する。以下同様に、ファイル数の多い順に色を並べていき、２５位のジャンル色は右下の分割領域に表示する。
【００５８】
なお、画面の分割数は２５に限らず、任意のベストｉ位（ｉは整数）までのジャンル色を表示可能とする。ジャンル毎のファイル数におけるベスト５を表示する場合には、図８（ｂ）に示すように、大容量メモリ１２内の音楽ファイルのジャンルのうち、ファイル数の多い順に上位５位までのジャンル色を、表示デバイス１８の表示画面を５分割した各領域に並べて表示する。
【００５９】
次に、動作を説明する。
ジャンル色データベース１３２の更新方法については、第１の実施の形態に示したデータベース更新処理（図４）と同様であるため、説明を省略する。
【００６０】
図９は、ジャンル表示処理Ｂを示すフローチャートである。
まず、ユーザの操作部１７からの操作により、ジャンル毎のファイル数が多い順に上位何位までのジャンルを表示するかが指定される（ステップＳ３１）。ここでは、上位ｉ位までのジャンルを表示することとする。
【００６１】
次に、ＣＰＵ１１により、ジャンル色データベース１３２が読み出され（ステップＳ３２）、ジャンル色データベース１３２のデータに対して、ファイル数の多い順にソート処理が行われる（ステップＳ３３）。そして、（ｉ＋１）位以下のジャンルについてはフィルタ処理が行われる（ステップＳ３４）。
【００６２】
次に、ＣＰＵ１１により、デザインデータ１３３として、表示画面をｉ分割するタイルパターンが読み出される（ステップＳ３５）。
【００６３】
次に、ＣＰＵ１１により、ソート処理されたジャンル色データベース１３２のデータに基づいて、タイルパターンの各分割領域に、配色設定処理が行われる（ステップＳ３６）。具体的には、タイルパターンの各分割領域に、ファイル数の多い順に各ジャンルと対応付けられているジャンル色が設定され、表示データが生成される。生成された表示データは画像メモリ１５に格納される（ステップＳ３７）。そして、ＣＰＵ１１により、表示データに基づいて、ジャンル毎のファイル数が多い順にジャンル色がｉ個並んだ画像が表示デバイス１８に表示される（ステップＳ３８）。
以上でジャンル表示処理Ｂが終了する。
【００６４】
以上説明したように、第２の実施の形態によれば、大容量メモリ１２に記憶されている複数の音楽ファイルのジャンル毎のファイル数に応じて、ジャンル名−色変換テーブル１３１に記憶されている各ジャンル名と対応付けられているジャンル色を用いて表示データを生成することができる。より詳しくは、表示デバイス１８の表示画面上に、ジャンル毎のファイル数が多い順に指定された数分、各ジャンルと対応付けられているジャンル色が示す色を並べて表示させるので、ファイル数が多いジャンル及びその順序を色で提示することができる。したがって、大容量メモリ１２に複数記憶されている音楽ファイルのジャンルの傾向を提示することができる。
【００６５】
［第３の実施の形態］
次に、本発明を適用した第３の実施の形態について説明する。
第３の実施の形態におけるオーディオプレーヤーは、第１の実施の形態に示したオーディオプレーヤー１０と同様の構成によってなるため、同一の構成部分については同一の符号を付し、その構成については図示及び説明を省略する。以下、第３の実施の形態に特徴的な構成及び処理について説明する。
【００６６】
第３の実施の形態では、大容量メモリ１２に記憶されている音楽ファイルのジャンルの種類数に応じて、表示画面の分割数を変更する。
【００６７】
第３の実施の形態においても、第２の実施の形態と同様に、記憶部１３には、デザインデータ１３３として、タイルパターンが格納されている。
【００６８】
ＣＰＵ１１は、大容量メモリ１２に記憶されている複数の音楽ファイルのジャンル毎のファイル数に応じて、ジャンル名−色変換テーブル１３１に記憶されている各ジャンル名と対応付けられているジャンル色（ＲＧＢ配色データ）を用いて表示データを生成し、表示デバイス１８に表示させる。具体的には、ＣＰＵ１１は、ジャンルの種類数に応じて表示デバイス１８の表示画面を分割し、当該分割された各領域に各ジャンルと対応付けられているジャンル色が示す色を表示させる。
【００６９】
例えば、図１０（ａ）に示すように、大容量メモリ１２に記憶されている音楽ファイルのジャンルの種類数が２種類の場合には、表示画面を左右に２分割し、ファイル数が多いジャンルのジャンル色を左側の分割領域に表示し、ファイル数が少ないジャンルのジャンル色を右側の分割領域に表示する。さらに、他の種類のジャンルの音楽ファイルが追加され、大容量メモリ１２に記憶されている音楽ファイルのジャンルの種類数が４種類になった場合には、図１０（ｂ）に示すように、表示画面を４分割し、ファイル数が多い順に、各ジャンルと対応付けられているジャンル色を左上、右上、左下、右下の分割領域に表示する。さらに、他の種類のジャンルの音楽ファイルが追加され、大容量メモリ１２に記憶されている音楽ファイルのジャンルの種類数が９種類になった場合には、図１０（ｃ）に示すように、表示画面を９分割し、ファイル数が多い順に、左上の分割領域から右下の分割領域へ、各ジャンルと対応付けられているジャンル色を並べて表示する。
【００７０】
なお、表示デバイス１８の表示画面が小さい場合には、画面の分割数に限界があるので、画面分割の制限値ｊを設ける。ジャンルの種類数がｊより小さい場合には、ジャンルの種類数に応じて表示画面を分割し、ジャンルの種類数がｊ以上である場合には、表示画面をｊ個の領域に分割する。
【００７１】
次に、動作を説明する。
ジャンル色データベース１３２の更新方法については、第１の実施の形態に示したデータベース更新処理（図４）と同様であるため、説明を省略する。
【００７２】
図１１は、ジャンル表示処理Ｃを示すフローチャートである。
まず、ユーザの操作部１７からの操作により、画面分割の制限値ｊが入力される（ステップＳ４１）。なお、画面分割の制限値ｊは、予め設定されていることとしてもよい。
【００７３】
次に、ＣＰＵ１１により、ジャンル色データベース１３２が読み出され（ステップＳ４２）、ジャンル色データベース１３２のデータに対して、ファイル数の多い順にソート処理が行われる（ステップＳ４３）。
【００７４】
ここで、ＣＰＵ１１により、ジャンル色データベース１３２に登録されているジャンルの種類数ｋが求められ（ステップＳ４４）、ジャンルの種類数ｋが、ステップＳ４１で入力された画面分割の制限値ｊより小さいか否かが判断される（ステップＳ４５）。ジャンルの種類数ｋが画面分割の制限値ｊより小さい場合には（ステップＳ４５；ＹＥＳ）、ＣＰＵ１１により、デザインデータ１３３として、表示画面をｋ分割するタイルパターンが読み出される（ステップＳ４６）。一方、ジャンルの種類数ｋが画面分割の制限値ｊ以上である場合には（ステップＳ４５；ＮＯ）、ＣＰＵ１１により、デザインデータ１３３として、表示画面をｊ分割するタイルパターンが読み出される（ステップＳ４７）。
【００７５】
次に、ＣＰＵ１１により、ソート処理されたジャンル色データベース１３２のデータに基づいて、タイルパターンの各分割領域に、配色設定処理が行われる（ステップＳ４８）。具体的には、タイルパターンの各分割領域に、ファイル数の多い順に各ジャンルと対応付けられているジャンル色が設定され、表示データが生成される。生成された表示データは画像メモリ１５に格納される（ステップＳ４９）。そして、ＣＰＵ１１により、表示データに基づいて、ジャンルの種類数ｋ又は画面分割の制限値ｊの数に分割された各領域に、ジャンル毎のファイル数が多い順にジャンル色が並んだ画像が表示デバイス１８に表示される（ステップＳ５０）。
以上でジャンル表示処理Ｃが終了する。
【００７６】
以上説明したように、第３の実施の形態によれば、大容量メモリ１２に記憶されている複数の音楽ファイルのジャンル毎のファイル数に応じて、ジャンル名−色変換テーブル１３１に記憶されている各ジャンル名と対応付けられているジャンル色を用いて表示データを生成することができる。より詳しくは、ジャンルの種類数に応じて表示デバイス１８の表示画面を分割し、当該分割された各領域に各ジャンルと対応付けられているジャンル色が示す色を表示させるので、大容量メモリ１２に記憶されている音楽ファイルのジャンル及びジャンルの種類数を提示することができる。したがって、大容量メモリ１２に複数記憶されている音楽ファイルのジャンルの傾向を提示することができる。
【００７７】
なお、上記各実施の形態における記述は、本発明に係るコンテンツ表示装置の例であり、これに限定されるものではない。コンテンツ表示装置を構成する各部の細部構成及び細部動作に関しても本発明の趣旨を逸脱することのない範囲で適宜変更可能である。
【００７８】
上記各実施の形態では、分類情報としてジャンル名を用いた場合について説明したが、アーティスト名、アルバム名等の分類情報を用いることとしてもよい。また、ジャンルに限らず、ユーザが任意に設定可能なプレイリストと、色とを対応付けておくこととしてもよい。例えば、冬に聞きたい曲は白、思い出の曲には緑、懐かしい曲にはセピア色等、イメージに合った色を設定しておくことも可能である。
【００７９】
また、コンテンツファイルとして音楽ファイルを扱う場合について説明したが、画像ファイルや動画ファイル等に適用することとしてもよい。
【００８０】
また、音楽ファイルを再生する際に、音楽ファイルのタグ情報からジャンル名を読み出し、ジャンル名−色変換テーブル１３１に基づいて、そのジャンル名に対応付けられたジャンル色を表示デバイス１８に表示することとしてもよい。
【図面の簡単な説明】
【００８１】
【図１】オーディオプレーヤー１０の機能的構成を示すブロック図である。
【図２】ジャンル名−色変換テーブル１３１を示す図である。
【図３】ジャンル色データベース１３２を示す図である。
【図４】データベース更新処理を示すフローチャートである。
【図５】ジャンル表示処理Ａを示すフローチャートである。
【図６】他のデータベース更新処理を示すフローチャートである。
【図７】混合履歴データベースを示す図である。
【図８】（ａ）は、ジャンルのベスト２５を表示した場合の表示例である。（ｂ）は、ジャンルのベスト５を表示した場合の表示例である。
【図９】ジャンル表示処理Ｂを示すフローチャートである。
【図１０】（ａ）は、ジャンルの種類数が２種類の場合の表示例である。（ｂ）は、ジャンルの種類数が４種類の場合の表示例である。（ｃ）は、ジャンルの種類数が９種類の場合の表示例である。
【図１１】ジャンル表示処理Ｃを示すフローチャートである。
【符号の説明】
【００８２】
１０  携帯型デジタルオーディオプレーヤー
１１  ＣＰＵ
１２  大容量メモリ
１３  記憶部
１４  一時メモリ
１５  画像メモリ
１６  通信部
１７  操作部
１８  表示デバイス
１９  再生部
２０  バス
１３１  ジャンル名−色変換テーブル
１３２  ジャンル色データベース
１３３  デザインデータ
【図１】
2008158734.tif 000003
【図２】
2008158734.tif 000004
【図３】
2008158734.tif 000005
【図４】
2008158734.tif 000006
【図５】
2008158734.tif 000007
【図６】
2008158734.tif 000008
【図７】
2008158734.tif 000009
【図８】
2008158734.tif 000010
【図９】
2008158734.tif 000011
【図１０】
2008158734.tif 000012
【図１１】
2008158734.tif 000013